(57)【要約】【課題】録画再生装置において、視聴制限がなされているコンテンツを特殊再生する場合であっても、視聴制限機能が適切に動作する技術を提供する。【解決手段】視聴制限制御部４０の特殊再生制限処理部４２は、内蔵レコーダ３４にコンテンツを記録するときに、記録するコンテンツからレイティングを抽出し、抽出したレイティングと記録時刻（日時）とを関連づけて、特殊再生用テーブルとして記録する。特殊再生する場合には、視聴制限制御部４０の特殊再生制限処理部４２が、特殊再生用テーブルを参照して特殊再生の表示の可否を判断する。【選択図】図１
2011199598.tif 000002
【特許請求の範囲】
【請求項１】
コンテンツの録画時に、前記コンテンツに含まれる視聴制限レイティングと録画時刻とを前記コンテンツとは別に記録する情報記録部と、
録画されている前記コンテンツの特殊再生を行うときに、前記コンテンツの前記視聴制限レイティングと記録された前記録画時刻とを前記情報記録部から取得し、特殊再生する前記コンテンツが視聴許可されているコンテンツか否かを判断し、視聴許可されていないコンテンツであると判断した場合、前記特殊再生の前記コンテンツの表示を行わないように制御する視聴制限制御部と、
を備えることを特徴とする録画再生装置。
【請求項２】
前記視聴制限制御部は、前記特殊再生の前記コンテンツを出力しない場合に、特殊再生中に出力不可能である旨の表示を行うことを特徴とする請求項１に記載の録画再生装置。
【請求項３】
前記視聴制限制御部は、前記特殊再生の前記コンテンツを出力しない場合に、次に表示可能なコンテンツまで表示出力をスキップすることを特徴とする請求項１に記載の録画再生装置。
【請求項４】
録画されている前記コンテンツの特殊再生を行うときに、前記コンテンツの視聴制限レイティングと録画時刻とが前記コンテンツとは別に記録されている所定のテーブルを参照するレイティング参照工程と、
特殊再生する前記コンテンツが視聴許可されているコンテンツか否かを判断するレイティング判断工程と、
特殊再生する前記コンテンツが視聴許可されていないコンテンツであると判断した場合、前記特殊再生の前記コンテンツの表示を行わないように制御する視聴制限制御工程と、
を備えることを特徴とする特殊再生方法。
【請求項５】
前記視聴制限制御工程は、前記特殊再生の前記コンテンツを出力しない場合に、前記特殊再生中に出力不可能である旨の表示を行うことを特徴とする請求項４に記載の特殊再生方法。
【請求項６】
前記視聴制限制御工程は、前記特殊再生の前記コンテンツを出力しない場合に、次に表示可能なコンテンツまで表示出力をスキップすることを特徴とする請求項４に記載の特殊再生方法。
【発明の詳細な説明】
【技術分野】
【０００１】
本発明は、録画再生装置及び特殊再生方法に係り、特に、視聴制限機能を有する録画再生装置及びそのような録画再生装置における特殊再生方法に関する。
【背景技術】
【０００２】
地上デジタルテレビ放送などの放送システムにおいては、暴力シーンや粗野な表現等、教育上好ましくないコンテンツが含まれているテレビ番組がある。そこで、近年、このような教育上好ましくないと考えられるコンテンツについては、何らかの年齢視聴制限の規制が設けられている。
【０００３】
このような規制は、パレンタルと呼ばれ、例えば、パレンタルレベルが低い方から順番に１〜８のレベルがある。装置のパレンタルレベルが５に設定されている場合、テレビ放送のパレンタルレベル５以下の情報が視聴できるが、パレンタルレベル６〜８の情報は視聴することができないようにロック（以下、「チャイルドロック」という）するようになっている。
【０００４】
そして、パレンタルレベルが設定されているコンテンツを再生するに当たり、視聴制限が不適切に解除されないようにする技術が幾つか提案されており、そのような技術の一つに、特殊再生時であっても解除されなようにする技術がある（例えば、特許文献１参照）。この技術では、一定期間内にレイティング情報（パレンタルレベルが重畳された情報）が検出されない特殊再生中の映像信号に対しても、映像信号のフィ−ルドの連続性を判定することにより、検出時点の映像信号が標準もしくは特殊再生時の映像信号に基づくものか否かを判断している。
【先行技術文献】
【特許文献】
【０００５】
【特許文献１】特開２００１−１６５６５号公報
【発明の概要】
【発明が解決しようとする課題】
【０００６】
ところで、特許文献１に開示の技術では、言い換えると、視聴制限機能を解除するか継続するかの見極めを行って、例え特殊映像信号であったとしても、設定したパレンタルレベル以上の番組であった場合には、正常に視聴制限機能が働くようにしている。しかし、特殊再生中にパレンタルレベルが変わり、チャイルドロックの要否が変わったとしても追従できないという課題があった。また、デジタル放送をデジタル録画したコンテンツであっても、パレンタルレベルの変化への追従を確実にしようとすると、タイムラグが生じて操作性が低下したり、部品を高性能にする必要がある等のコスト増加が発生したりした。このため、別の技術が求められていた。
【０００７】
本発明の目的は、上記課題に鑑み、録画再生装置において、視聴制限がなされているコンテンツを特殊再生する場合であっても、視聴制限機能が適切に動作する技術を提供することにある。
【課題を解決するための手段】
【０００８】
本発明に係る装置は、録画再生装置に関する。この録画再生装置は、コンテンツの録画時に、前記コンテンツに含まれる視聴制限レイティングと録画時刻とを前記コンテンツとは別に記録する情報記録部と、録画されている前記コンテンツの特殊再生を行うときに、前記コンテンツの前記視聴制限レイティングと記録された前記録画時刻とを前記情報記録部から取得し、特殊再生する前記コンテンツが視聴許可されているコンテンツか否かを判断し、視聴許可されていないコンテンツであると判断した場合、前記特殊再生の前記コンテンツの表示を行わないように制御する視聴制限制御部と、を備える。
また、前記視聴制限制御部は、前記特殊再生の前記コンテンツを出力しない場合に、前記特殊再生中に出力不可能である旨の表示を行ってもよい。
また、前記視聴制限制御部は、前記特殊再生の前記コンテンツを出力しない場合に、次に表示可能なコンテンツまで表示出力をスキップしてもよい。
本発明に係る方法は、特殊再生方法に関する。この特殊再生方法は、録画されている前記コンテンツの特殊再生を行うときに、前記コンテンツの視聴制限レイティングと録画時刻とが前記コンテンツとは別に記録されている所定のテーブルを参照するレイティング参照工程と、特殊再生する前記コンテンツが視聴許可されているコンテンツか否かを判断するレイティング判断工程と、特殊再生する前記コンテンツが視聴許可されていないコンテンツであると判断した場合、前記特殊再生の前記コンテンツの表示を行わないように制御する視聴制限制御工程と、を備える。
また、前記視聴制限制御工程は、前記特殊再生の前記コンテンツを出力しない場合に、前記特殊再生中に出力不可能である旨の表示を行ってもよい。
また、前記視聴制限制御工程は、前記特殊再生の前記コンテンツを出力しない場合に、次に表示可能なコンテンツまで表示出力をスキップしてもよい。
【発明の効果】
【０００９】
本発明によれば、録画再生装置において、視聴制限がなされているコンテンツを特殊再生する場合であっても、視聴制限機能が適切に動作する技術を提供することができる。
【図面の簡単な説明】
【００１０】
【図１】発明の実施形態に係る、テレビの概略構成を示す機能ブロック図である。
【図２】発明の実施形態に係る、特殊再生制限処理部の特殊再生用テーブルを示す図である。
【図３】発明の実施形態に係る、特殊再生用テーブルを参照して特殊再生を行ったときの画面例を示す図である。
【図４】発明の実施形態に係る、通常再生時の視聴制限処理を示したフローチャートである。
【図５】発明の実施形態に係る、特殊再生時の視聴制限処理を示したフローチャートである。
【図６】発明の実施形態の変形例に係る、特殊再生用テーブルを参照して特殊再生を行ったときの画面例を示す図である。
【図７】発明の実施形態の変形例に係る、視聴制限処理を示したフローチャートである。
【発明を実施するための形態】
【００１１】
次に、本発明を実施するための形態を、図面を参照して具体的に説明する。上述のように、特殊再生時において、アナログ放送ではコンテンツのデータからパレンタル値を判定することが難しいことが多い。また、デジタル放送でも、同様の課題があると共に、確実に判定しようとすると、タイムラグ等が大きくなって、操作性が低下するという課題がある。そこで、本実施形態では、録画機能付き表示装置（テレビ）は、コンテンツを録画するときに、録画時刻とパレンタルレベル（以下、「レイティング」という）を、コンテンツとは別に所定のテーブル（記録領域）に記録する。そして、その表示装置は、録画したコンテンツの再生時、特にスロー再生や早送り再生等の特殊再生時に、そのテーブルを参照して、表示の可否を決定する。
【００１２】
図１は、本実施形態に係るテレビ１０の概略構成を示す機能ブロック図であり、このテレビ１０は、録画機能を有している。テレビ１０は、主制御部２０と、ソース部３０と、セレクタ１４と、コンテンツ出力処理部１６と、出力部１８と、操作取得部２６と、視聴制限制御部４０とを備えている。
【００１３】
主制御部２０は、テレビ１０の各構成要素を統括的に制御する。この主制御部２０や後述の視聴制限制御部４０等の各構成要素は、例えば、ＣＰＵ（中央演算装置）等のＬＳＩ（大規模集積回路）やメモリで構成され、そのメモリに記憶されたプログラムらが実行されることで、その機能が実現される。操作取得部２６は、リモコン等の操作手段２７によるテレビ１０への操作を受け付けるユーザ・インタフェイスである。
【００１４】
ソース部３０は、コンテンツのソース機能として、チューナ３２と、内蔵レコーダ３４と、外部機器入出力部３６とを備える。チューナ３２は、アンテナに接続されており、例えば地上デジタル放送を受信し及び復号する。内蔵レコーダ３４は、例えば、ＢＤ（Blue-ray Disc）ドライブ、ＨＤＤ（Hard disk drive）、ＳＳＤ（Solid State Drive）、フラッシュメモリ等を記録ディバイスとして利用した装置である。この内蔵レコーダ３４は、チューナ３２や外部レコーダ７０から取得したコンテンツを記録したり、また、記録されているコンテンツを再生し、セレクタ１４を介してコンテンツ出力処理部１６に出力する。また、内蔵レコーダ３４は、タイムシフト再生のための記録再生に使用される。なお、内蔵レコーダ３４は、コンテンツを録画する場合に、録画データとして録画時刻をコンテンツと共に記録する。
【００１５】
外部機器入出力部３６は、ＤＶＤレコーダやＢＤレコーダ等の外部レコーダ７０と接続する入出力インタフェイスである。ここでは、外部機器入出力部３６と外部レコーダ７０は、ＨＤＭＩケーブルにて接続されている。
【００１６】
セレクタ１４は、ソース部３０からユーザの指定等のソースを選択し、そのソースのコンテンツをコンテンツ出力処理部１６に出力する。また、内蔵レコーダ３４に記録する場合には、コンテンツ出力処理部１６から記録するコンテンツを内蔵レコーダ３４に出力する。
【００１７】
コンテンツ出力処理部１６は、チューナ３２で復号された画像データと音声データとを同期させて出力部１８に出力する。また、コンテンツ出力処理部１６は画像データを出力するときに、必要に応じてデータ放送の内容や、選択されているチャンネル番号、時刻などの表示を番組の画像データに追加したり加工したりする。また、出力部１８は、画像データを表示する表示部や音声データを出力するスピーカを備える。なお、以降の説明では、コンテンツの出力として映像について例示するが、当然に音声についても同様の処理がなされる。
【００１８】
視聴制限制御部４０は、ユーザによる視聴制限の設定を受け付け、その設定に応じて、コンテンツの視聴制限を行う。ここでは視聴制限としてレイティング（パレンタルレート）による制限がなされる。例えば、視聴制限制御部４０は、チューナ３２において復号した地上デジタル放送の番組のＴＳパケットに含まれるＰＳＩ（Program Specific Information）に記述されているレイティングを抽出する。そして、ユーザが設定した視聴制限の設定、つまりレイティングに応じて、表示出力の際に、チャイルドロックがなされる。また、チューナ３２がアナログ放送用のチューナであれば、視聴制限制御部４０は、垂直帰線消去期間に重畳されているレイティングを抽出し、必要に応じてチャイルドロックを行う。なお、後述のフローチャートによる例示においては、レイティングとして「５」が設定されているものとし、レイティングが「４」以下のコンテンツが視聴可能であるものとする。
【００１９】
また、視聴制限制御部４０は、特殊再生制限処理部４２を備える。特殊再生制限処理部４２は、内蔵レコーダ３４にコンテンツを記録するときに、記録するコンテンツからレイティングを抽出し、抽出したレイティングと記録時刻（日時）とを関連づけて、所定のテーブル（以下、「特殊再生用テーブル」という）として記録する。
【００２０】
図２は、特殊再生用テーブルの内容（リスト）を示す図である。例えば、一番上の録画記録情報では、３月１日の００：００〜０１：３０にレイティングが「４」のコンテンツ（第１コンテンツ）が内蔵レコーダ３４に録画された旨が示されている。また、２番目の録画記録情報では、３月１日の０５：００〜０５：４５にレイティングが「５」のコンテンツ（第２コンテンツ）が録画された旨が示されている。さらに、３番目の録画記録情報では、３月２日の１２：３０〜１４：３０にレイティングが「Ｇ」のコンテンツ（第３コンテンツ）が録画された旨が示されている。レイティング「Ｇ」は、「視聴制限なし」を意味している。
【００２１】
なお、内蔵レコーダ３４の該当コンテンツが消去された場合には、対応する記録情報も消去される。このように、録画時に、レイティング情報と対応する時刻情報とを録画データとは別に特殊再生用テーブルに記録して管理する。それによって、特殊再生中でも正しくレイティングを判断してチャイルドロック動作を行うことができる。
【００２２】
そして、視聴制限制御部４０は、内蔵レコーダ３４に記録されたコンテンツを再生する際に、通常の再生時には、コンテンツに重畳されている情報（レイティング）を参照して、表示の可否、つまりチャイルドロックの可否を判断する。また、特殊再生する場合には、視聴制限制御部４０の特殊再生制限処理部４２が、特殊再生用テーブルを参照して特殊再生の表示の可否を判断する。
【００２３】
図３は、図２の特殊再生用テーブルを参照して特殊再生を行ったときの画面例を示している。第１コンテンツは、レイティングが「４」であり、再生許可されているので、特殊再生時も表示される。第２コンテンツは、レイティングが「５」であり、再生許可されていないので、特殊再生時も表示がロックされ表示されない。また、第３コンテンツは、レイティングが「Ｇ」であり、視聴制限がなされていないので、特殊再生時において表示がなされる。
【００２４】
図４は、通常再生時の視聴制限処理を示したフローチャートである。まず、ユーザから、操作手段２７等の操作によって内蔵レコーダ３４の再生指示がなされると、主制御部２０は、セレクタ１４を操作し、内蔵レコーダ３４をコンテンツ出力処理部１６に接続して、内蔵レコーダ３４のコンテンツの再生を開始する。そして、視聴制限制御部４０は、再生する録画データであるコンテンツに重畳されているレイティングを取得する（Ｓ１１）。そして、視聴制限制御部４０は、設定されているレイティングと比較して（Ｓ１２）、視聴可能なレイティングのコンテンツであるか否かを判断する（Ｓ１３）。
【００２５】
視聴可能なレイティングのコンテンツである場合（Ｓ１３のＹ）、視聴制限制御部４０は、そのコンテンツにチャイルドロックを掛けることなく通常の再生画面の出力を行う（Ｓ１４）。視聴が禁止されているレイティングのコンテンツである場合（Ｓ１３のＮ）、視聴制限制御部４０は、そのコンテンツにチャイルドロックを掛け、ユーザが設定したパスワード等が入力された場合にのみ通常の再生画面の出力を行う（Ｓ１５）。
【００２６】
つぎに、図５のフローチャート及び図３の表示画面例を参照して、特殊再生時の視聴制限処理について説明する。上述のように、特殊再生時には、レイティングの認識やその処理に伴う操作性低下の虞があるため、ここでは、特殊再生制限処理部４２に記録されている特殊再生用テーブルが利用される。まず、ユーザより特殊再生指示があると、視聴制限制御部４０の特殊再生制限処理部４２は、コンテンツにおける特殊再生を開始する位置の録画時刻を確認する（Ｓ２１）。つづいて、特殊再生制限処理部４２は、特殊再生用テーブルを参照し、そのリストから対応するレイティングを取得し（Ｓ２２）、設定レイティングとの比較を行い（Ｓ２３）、視聴可能か否かを判断する（Ｓ２４）。
【００２７】
比較の結果、視聴可能なレイティングであれば（Ｓ２４のY）、視聴制限制御部４０は、特殊再生画面の表示を許可し、コンテンツ出力処理部１６は、特殊再生画面を出力部１８に出力する（Ｓ２５）。また、視聴が禁止されているレイティングであれば（Ｓ２４のＮ）、視聴制限制御部４０は、特殊再生画面の表示を許可せずロックを行う（Ｓ２６）。ロックがされると、通常再生時と同様に、コンテンツ出力処理部１６は、ロックがされている旨を表示するとともに、所定のパスワードを入力するように促し、パスワード入力がない場合にはロック状態を維持したまま、再生可能時刻まで特殊再生を進める。なお、上記のフローチャートによる処理は、特殊再生中常時なされて、レイティングの判別がされてもよいし、次のコンテンツに切り替わるタイミングで、再度、レイティングの判別がなされてもよい。
【００２８】
以上、本実施形態によると、内蔵レコーダ３４に記録されている特殊再生を行う場合に、その再生タイミングにおいてコンテンツに重畳されているレイティング情報を録画データから抽出せずに、録画時に別途記録した特殊再生用テーブルが利用される。その結果、コンテンツに重畳されているレイティング情報を特殊再生時においても適切に利用することができ、また、操作性を悪化させることもない。
【００２９】
つづいて変形例について説明する。本変形例では、視聴が制限されているレイティングのコンテンツについては、特殊再生時においてスキップさせる処理を行う。構成については、上述のテレビ１０と同様の構成で実現できる。従って、図２に示した特殊再生用テーブルに対応するコンテンツを特殊再生する場合に、図６に示すように、第１コンテンツの特殊再生が終了し、つぎのコンテンツである視聴制限対象となっている第２コンテンツの再生位置になると第２コンテンツをスキップして、視聴許可されている第３コンテンツを特殊再生する。
【００３０】
図７は、変形例に係る特殊再生時の視聴制限処理の手順を示すフローチャートである。
視聴制限制御部４０の特殊再生制限処理部４２は、再生するコンテンツにおける特殊再生位置の録画時刻を確認する（Ｓ３１）。つづいて、特殊再生制限処理部４２は、特殊再生用テーブルを参照し、そのリストから対応するレイティングを取得し（Ｓ３２）、設定レイティングとの比較を行い（Ｓ３３）、視聴可能か否かを判断する（Ｓ３４）。
【００３１】
比較の結果、視聴可能なレイティングであれば（Ｓ３４のY）、視聴制限制御部４０は、特殊再生画面の表示を許可し、コンテンツ出力処理部１６は、特殊再生画面を出力部１８に出力する（Ｓ３５）。また、視聴が禁止されているレイティングであれば（Ｓ３４のＮ）、視聴制限制御部４０は、特殊再生画面の表示を許可せず、また何ら警告の表示等も行わず、スキップ処理を行う（Ｓ３６）。そして、つぎのコンテンツのレイティングを特殊再生制限処理部４２から取得し（Ｓ３７）、設定レイティングとの比較処理（Ｓ３３）に戻り、以降同様の処理（Ｓ３４以降の処理）が行われる。
【００３２】
以上、本発明を実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。例えば、録画再生装置として録画機能付きのテレビについて例示したが、ＤＶＤレコーダやＢＤレコーダ等の、表示部がない単体のレコーダであってもよい。
【００３３】
さらに、例えば、特殊再生、特に早送り再生では、コンテンツの内容把握が十分に出来ないことが多いという特徴に鑑み、特殊再生の操作性を向上させる観点から、設定レイティングより一段階だけレイティングが上のコンテンツの特殊再生を表示可能としてもよい。また、レイティングが設定レイティングより大きくなるに従って、特殊再生の表示を、内容が把握しにくくすることも可能である。例えば、表示領域を小さくしたり、表示解像度を落したりと言った処理も可能である。
【符号の説明】
【００３４】
１０  テレビ
１４  セレクタ
１６  コンテンツ出力処理部
１８  出力部
２０  主制御部
２６  操作取得部
２７  操作手段
３０  ソース部
３２  チューナ
３４  内蔵レコーダ
３６  外部機器入出力部
４０  視聴制限制御部
４２  特殊再生制限処理部
７０  外部レコーダ
【図１】
2011199598.tif 000003
【図２】
2011199598.tif 000004
【図３】
2011199598.tif 000005
【図４】
2011199598.tif 000006
【図５】
2011199598.tif 000007
【図６】
2011199598.tif 000008
【図７】
2011199598.tif 000009